(57)【要約】【課題】前後に開口した背フレームにサポート体（背板）を取り付けてなる背もたれにおいて、サポート体の取り付けを迅速かつ正確に行えるようにする。【解決手段】背もたれ５は、前後に開口した背フレーム７とその前面に配置されたサポート体８とを有する。サポート体８は、係合爪２７，２９，３１，３２と係合部（係合穴）２０，２２，２４，２５との強制嵌合により、前後離反不能に保持されている。背フレーム７の下端部にハ字形の形態を成す左右のガイド片２６を設けている一方、サポート体８の下端には、左右ガイド片２６の上端間の間隔と略等しい左右幅のガイド突起３３を設けている。ガイド突起３３を左右ガイド片２６の間に嵌め入れて上向きにずらすことでサポート体８の位置決めが行われるため、サポート体８の取り付けを正確かつ迅速に行える。サポート体８を位置決めしてから背フレーム７に押し当てると、係合爪が係合に強制的に嵌合する。【選択図】図２
2014097194.tif 000002
【特許請求の範囲】
【請求項１】
前後に開口した背フレームと、前記背フレームの開口を手前から覆うように配置されたサポート体とを有しており、前記サポート体の周縁部を前記背フレームに取り付けている構成であって、
前記サポート体の少なくとも左右側部と前記背フレームの少なくとも左右側部とに、前記サポート体を背フレームに手前から重ねて押し込むか又は下向きにずらすと互いに嵌合してサポート体を背フレームから離脱不能に保持する係合手段が設けられていると共に、前記サポート体の下端部と背フレームの下端部とに、前記サポート体を嵌め込み高さよりも下にいったん下げた状態でずり上げると互いに嵌合して前記サポート体を左右中央に位置合わせするガイド体が形成されている、
椅子の背もたれ。
請求項１に記載した椅子の背もたれ。
【請求項２】
前記背フレームのうち前記サポート体が重なる部分は、少なくとも上部を除いて内壁と外壁とを有する前向き開口の溝型になっており、前記背フレームの下端部の溝内に、背フレーム側ガイド体として左右間隔が上に行くほど狭まる正面視ハ字形のガイド片を設けている一方、
前記サポート体には、サポート体側のガイド体として、前記左右ガイド片の上端間の間隔と略同じ程度の寸法の左右横幅のガイド突起を後ろ向きに突設している、
請求項１に記載した椅子の背もたれ。
【発明の詳細な説明】
【技術分野】
【０００１】
本願発明は、前後に開口した背フレームにサポート体を取り付けた構造の背もたれに関するものである。
【背景技術】
【０００２】
椅子の背もたれを前後開口の背フレームと体圧支持のためのサポート体とで構成することは、例えば本願出願人の先願に係る特許文献１に開示されている。この特許文献１では、背フレームの左右側部を構成するサイドメンバーの全体と上端部を構成するアッパーメンバーの左右端部とには前向き開口の溝が形成されており、この溝内に設けた背フレーム側係合部にサポート体側係合部を嵌め込むことで、サポート体が背フレームに離脱不能に保持されている。
【先行技術文献】
【特許文献】
【０００３】
【特許文献１】特開２０１１−９２５３７号公報
【発明の概要】
【発明が解決しようとする課題】
【０００４】
特許文献１の取り付け構造を採用すると、サポート体を背フレームに簡単に取り付けることができるが、本願発明者が検討したところ、このような係合部同士の嵌め合わせによる取り付け構造の場合、背フレーム側の係合部とサポート体側の係合部との位置合わせに手間取る場合があることが判明した。すなわち、サポート体を背フレームに重ねるとそれらの係合部は視認できなくなるため、係合部の左右位置が揃わずに嵌め合わせに手間取る場合があることが判明した。
【０００５】
本願発明はこのような現状を背景に成されたものであり、サポート体を背フレームに取り付けることを、より簡単に行えるようにすることを目的とするものである。
【課題を解決するための手段】
【０００６】
本願発明は、請求項１に記載したように、前後に開口した背フレームと、前記背フレームの開口を手前から覆うように配置されたサポート体とを有しており、前記サポート体の周縁部を前記背フレームに取り付けている構成にであって、前記サポート体の少なくとも左右側部と前記背フレームの少なくとも左右側部とに、前記サポート体を背フレームに手前から重ねて押し込むか又は下向きにずらすと互いに嵌合してサポート体を背フレームから離脱不能に保持する係合手段が設けられていると共に、前記サポート体の下端部と背フレームの下端部とに、前記サポート体を嵌め込み高さよりも下にいったん下げた状態でずり上げると互いに嵌合して前記サポート体を左右中央に位置合わせするガイド体が形成されている。
【０００７】
本願発明は、請求項２の発明も含んでいる。この請求項２の発明は、請求項１において、前記背フレームのうち前記サポート体が重なる部分は、少なくとも上部を除いて内壁と外壁とを有する前向き開口の溝型になっており、前記背フレームの下端部の溝内に、背フレーム側ガイド体として左右間隔が上に行くほど狭まる正面視ハ字形のガイド片を設けている一方、前記サポート体には、サポート体側のガイド体として、前記左右ガイド片の上端間の間隔と略同じ程度の寸法の左右横幅のガイド突起を後ろ向きに突設している。
【発明の効果】
【０００８】
本願発明では、いったんガイド体を嵌め合わせてサポート体をずり上げると、サポート体は背フレームの左右中央部に自動的に寄せられる。従って、サポート体をそのまま背フレームに向けて押し込むか、或いは、サポート体を下向きにずらすことで、係合手段の弾性変形による強制嵌合を利用してサポート体を背フレームに簡単に取り付けることができる。この場合、ガイド体同士を嵌め合わせるに当たっては、サポート体を取り付け姿勢よりも前傾させることでガイド体同士の嵌め合わせ状態を目で確認できるため、一連の組み立て作業を素早くかつ確実に行うことができる。
【０００９】
請求項２のように背フレームのうちサポート体が取り付けられる部分を溝状に構成すると、内外の壁のリブ効果によって高い剛性を確保できる利点がある。また、請求項２のように背フレームにおける溝の内部にハ字型のガイド片を設けると、サポート体を取り付けるにおいて、例えばサポート体のガイド片を溝の下面に当てることにより、ガイド突起の当初の挿入位置の目安つけることができるため、取り付けをより簡単に行える。
【００１０】
なお、請求項１のガイド体としては、サポート体に逆ハ字型のガイド片を設けてその内部に背フレーム野ガイド突起が嵌まるように構成したり、背フレームに逆ハ字型のガイド片を設けて、サポート体には背フレームのガイド片の左右外側に位置する左右一対のガイド体を設けるなど、様々な構成を採用できる。
【図面の簡単な説明】
【００１１】
【図１】（Ａ）は椅子の分離斜視図、（Ｂ）は背もたれの平面図である。
【図２】背もたれの分離斜視図である。
【図３】背フレームを裏返してサポート体と左右に並べた図である。
【図４】係合手段を示す分離斜視図である。
【図５】（Ａ）は係合手段を示す分離斜視図、（Ｂ）は背フレームの部分斜視図である。
【図６】（Ａ）（Ｂ）とも係合手段を示す分離斜視図である。
【図７】背フレームを下方から見た斜視図である。
【図８】サポート体の破断斜視図である。
【発明を実施するための形態】
【００１２】
(1).概略
次に、本願発明の実施形態を図面に基づいて説明する。図１のとおり、本実施形態の椅子は脚装置１を金属パイプで構成したいわゆるパイプ椅子であり、座２は、跳ね上げ回動できるように可動ベース体３を介して左右の支持フレーム（背支柱）４に取り付けられている。従って、本実施形態の椅子はネスティングも可能である。背もたれ５も支持フレーム４にロッキング自在に取り付けられているが、ロッキング構造は本願発明と直接の関係がないので、その説明は省略する。
【００１３】
背もたれ５は、大きな開口６を有する背フレーム７と、背フレーム７にその開口６を覆うようにして手前から取り付けられたサポート体（背板）８とを有している。背フレーム７は樹脂製又はアルミダイキャスト製であり、その下部に左右の張り出し部９を設けて、この張り出し部９を支持フレーム４の支軸１０に回動自在に連結している。なお、本実施形態の椅子はロッキングに連動して座２が前進するものであり、背フレーム７の下部には、座２が固定されている座受け体を押す押動部１１を設けている。
【００１４】
背フレーム７の開口６は、正面視で下部と湾曲して上端はフラットな形態であり、サポート体８は開口６と相似形になっている。サポート体８も樹脂製であり、外周部を除いた部分に縦横に多数の小穴１２を整列して設けることにより、格子状に近い外観を呈している。サポート体８にも工夫が施されているが、この点は後述する。
【００１５】
背フレーム７は、おおかまには、左右のサイドメンバー１４とその上端を繋ぐアッパーメンバー１５と下端を繋ぐロアメンバー１６とで構成されており、アッパーメンバー１５の左右両端部を除いて、内周部に内壁１７と外壁１８とで囲われた溝１９を形成している。内外の壁１７，１８の存在により、背フレーム７は高い強度を確保している。内外の壁１７，１８はアッパーメンバー１５の大部分においては存在しておらず、このため、背フレーム７のアッパーメンバー１５とサポート体８の上端との間には空間が空いている。このため、人はアッパーメンバー１５を掴んで椅子を移動させることができる。
【００１６】
そして、この溝１９の内部に、上から順に、上係合部２０、第１サイド規制部２１、第１及び第２のサイド係合部２２、第２サイド規制部２３、第３サイド係合部２４、下係合部２５を形成し、更に、溝１９の下端の左右中間部に、正面視ハ字形の姿勢を成す左右一対のガイド片２６を設けている。ガイド片２６は中心線を挟んで対称の形態になっており、従って、ガイド片２６は一対のみであるが、各係合部と規制部とは縦長中心線を挟んだ両側に対称に配置されている。
【００１７】
他方、サポート体８は背フレーム７の外壁１８の内側に嵌まるようになっており、その外周部の背面には、背フレーム７の上係合部２０に嵌まり係合する上係合爪２７、背フレーム７の第１サイド規制部２１に嵌まって左右ずれ不能に保持する第１サイド規制突起２８、背フレーム７の第１及び第２のサイド係合部２２に上から嵌まり係合する第１及び第２のサイド係合爪２９、背フレーム７の第２サイド規制部２３に嵌まって左右ずれ不能に保持する第２サイド規制突起３０、背フレーム７の第３サイド係合部２４に上から嵌まり係合する第３サイド係合爪３１、背フレーム７の下係合部２５に上から嵌まり係合する下係合爪３２、左右ガイド片２６の間に位置するガイド突起３３が後ろ向きに突設されている。
【００１８】
上係合部２０、第１サイド規制部２１、第１及び第２のサイド係合部２２、第２サイド規制部２３、第３サイド係合部２４、下係合部２５は背フレーム側の係合手段を構成しており、上係合爪２７、サイド規制突起２８、サイド係合爪２９、第２サイド規制突起３０、下係合爪３２はサポート体側の係合手段を構成している。
【００１９】
(2).要部の詳細
図５に明瞭に示すように、上係合部２０は、内壁１７の上端部１７ａに係合穴２０ａを設けた構成である。他方、サポート体８の上係合爪２７は下向き鉤状の形態である。サポート体８のうち上係合爪２７の外側には、背フレーム７のサイドメンバー１４における内壁１７の上端部１７ｂの外側に近接する補助突起３４を設けている。従って、左右の補助突起３４で内壁１７の上端部が左右から挟まれた状態になっており、その結果、サイドメンバー１４の上部がしっかり位置決めされている。敢えて述べるまでもないが、上係合部２０の箇所において内壁１７ａと外壁１７との間には、係合爪２７が上下動できる間隔が空いている。
【００２０】
図５，６（Ａ）に示すように、サイド規制部２１，２３は、左右２つの挟持体３６から成っており、左右挟持体３６の間にサイド規制突起２８，３０が嵌まることで、サイドメンバー１４はその左右側部において左右ずれが阻止されている。
【００２１】
この場合、サイド規制突起２８，３０の外側面に、当該サイド規制突起２８，３０よりも低い高さの補助段部３７を設けている。補助段部３７は、外側の挟持体３６の下面がわに位置するように設定しており、このため、サポート体８の上向き動が阻止されている。図６に明示するように、下部のサイド規制部２３には、挟持体３６の下面に連なった底板３８を設けている。
【００２２】
図５，６（Ａ）のとおり、サポート体８の第１及び第２のサイド係合爪２９は下向き鉤状の形態である。他方、サイド係合部２２は上下に開口した穴になっており、その外側にはサイド係合爪２９の横ずれを阻止する補助リブ３９を設けている。
【００２３】
図６（Ａ）から理解できるように、サポート体８の第３サイド係合爪３１はランド部３１ａに外向きボス部３１ｂを突設した形態である一方、第３サイド係合部２４は、溝１９を仕切る底板２４ａと外壁１８とに跨がった張り出し部２４ｂを設けた形態である。第３サイド係合爪３１のボス部３１ｂは、手前から押し込まれる強制嵌合により、張り出し部２４ｂの奥側に入り込む。
【００２４】
図６（Ｂ）に示すように、サポート体８の下係合爪３２は上向き鉤状の形態である。他方、図６（Ｂ）及び図７に示すように、背フレーム７の下係合部２５は外壁１８から内向き突出した庇の形態である。下係合部２５と反対側の部位に補助リブ２５ａを設けており、かつ、補助リブ２５ａの外側には仕切り壁４０を設けている一方、サポート体８には下係合爪３２の外側に位置した下規制体４１を設けており、下規制体４１が補助リブ２５ａと仕切り壁４０との間に入り込むように設定している。このため、サポート体８はその下部においても左右ずれ不能に保持されている。
【００２５】
図７に明瞭に示すように、ガイド片２６は内壁１７と外壁１８とに繋がった状態になっている。このため、ガイド片２６は補強リブの役割も果たしている。サポート体８におけるガイド突起３３の左右幅は、左右ガイド片２６の上端間の間隔と略同じに設定している。従って、左右ガイド片２６の下端間の間隔はガイド突起３３の左右横幅よりも広くなっている。なお、図７から明瞭に理解できるように、背フレーム７の内壁１７は外壁１８よりも高くなっている。
【００２６】
以上の構成において、サポート体８を取り付ける場合は、まず、サポート体８をセット状態によりもやや手前に倒した姿勢にしてガイド突起３３を左右ガイド片２６の間に下から嵌め入れ、次いで、サポート体８を上向き移動させる。
【００２７】
すると、サポート体８はその中心が背フレーム７の中心と一致するように位置合わせされる。従って、ガイド突起３３を内壁１７の下面に当てた状態で全体を背フレーム７に向けて押し付けると、強制嵌合により、各係合爪２７，２９，３２が係合部２０，２２，２５に引っ掛かり係合すると共に、規制突起２８，規制体４１が規制部２１等に嵌入し、これにより、サポート体８の取り付けが完了する。このように、ガイド片２６とガイド突起３３とで左右方向の位置決めがされることにより、サポート体８の取り付けを正確かつ迅速に行える。
【００２８】
なお、サポート体８を背フレーム７に重ねてから下向きにずらすことによって、係合爪を係合部に嵌合させることも可能である。また、各係合部や係合爪、規制部等の形態は図示のものに限定されず、形状や配置位置などは様々に変更できる。係合手段としては、係合爪と係合穴との組み合わせに限らず、係合爪同士の組み合わせも採用できる。ガイド体を左右に複数配置することも可能である。
【００２９】
また、サポート体８は図示のような格子状の形態である必要はなく、単なる板であってもよい。小穴の群の有無に関係なく、前面にクッションを張ることも可能である。また、サポート体は特許文献１に開示されているように左右横長のスリットが多段に形成された形態も採用できる。或いは、サポート体を前後に開口した枠体に構成して、これにメッシュ材を張ることも可能である。
【００３０】
(3).サポート体の詳細
本実施形態におけるサポート体（背板）８の小穴１２は上下に長い小判形の形状であり、多数の小穴１２が存在することにより、通気性に優れていると共に、単なる板である場合に比べて撓み変形もし易くなっている。図８に示すように、上下に隣り合った小穴１２の間に位置したブリッジ部４３は、おおよそカマボコ形の断面形状になっている。
【００３１】
他方、小穴１２の縦列の間に位置した部分は、前面を平坦にして上下に途切れることなく延びる縦長ライン４４として現れている。従って、サポート体８は、縦長ライン（ストライプ）４４が左右に多列に並ぶと共に、左右に隣り合った縦長ライン４４の間には多数の小穴１２が上下多段に並んだ形態として観念される。
【００３２】
縦長ライン（ストライプ）４４の群のうち左右中間に位置したものは直線に延びた形態になっているが、その左右外側のものは正面視で左右外向き凹部条に緩く曲がっている。そして、これら縦長ライン４４の曲がりは、左右外側に端に行くに従って曲がりの曲率が僅かずつ小さくなるように配置している。従って、左右センターのものを除いた縦長のライン４４は、上と下に行くほど僅かながら横幅が広がっている。
【００３３】
図１（Ａ）に示すように、上下に並んでいる小穴１２の群の上と下には、上下長手の小判形の凹所４５が形成されており、縦長のライン４４は凹所４５の箇所まで位置している。従って，縦長のライン４４は、上の凹所４５の部分から下の凹所４５の部分まで続いている。仮に凹所４５を小穴１２に置き換えると、サポート体８の上縁部と下縁部との上下幅が小さくなって縁部の強度が低下する虞があり、さりとて、凹所４５を無くすと、サポート体８の周縁部の小穴１２がない余白部の上下幅が広くなるため、小穴１２によりストライプ模様を形成したことの美的効果が減殺されてしまう。
【００３４】
これに対して本実施形態のように小穴の縦列の上方と下方とに凹所４５を形成すると、サポート体８の縁部の強度低下を招来することなく縦長のライン４４の長さを長くできるため、縦長のライン４４による美的効果を高めることができる。
【００３５】
さて、先行文献としての特開２００７−１２５２２２号公報には、多数の小穴を設けた背板において、上下に隣合った小穴の間の部分の厚さを左右に隣り合った小穴の間に位置した部分よりも薄くすることが開示されている。
【００３６】
しかし、この先行文献の構成では、上下に隣合った小穴の間の部分の厚さが薄くなることで背板の強度が低下するおそれがある。さりとして、上下に隣合った小穴の間の部分の厚さと左右に隣り合った小穴の間に位置した部分の厚さとを同じに設定すると、背もたれの前面には単なる帯のラインが縦横に並んだ状態に現れるに過ぎないため美感に劣るという問題がある。
【００３７】
これに対して本実施形態のように、上下の小穴１２の間に位置したブリッジ部４３を  断面カマボコ形に形成すると、ブリッジ部４３の断面積は、当該ブリッジ部４３を縦長ライン４４の部分と同一厚さで前面を平坦に形成した場合はとさほど違わないため、強度の低下はなく、しかも、ブリッジ部４３の前面はラインとしては殆ど現れないため、縦長ライン４４がより強調されて、ストライプ模様としてのデザイン性が強く発揮されている。従って、高い美的効果を発揮している。
【００３８】
また、本実施形態では小穴の１２の上端と下端は円弧状なっていることから、横長の条線４３は隅肉をつけた状態になっていて、特に強度に優れている。本実施形態では、縦長ライン４４の横幅と小穴１２の横幅とを略同じ程度に設定しているが、このような関係に設定すると、小穴１２の列と縦長ライン４４とノバランスが取れていて特に好ましい。
【産業上の利用可能性】
【００３９】
本願発明は実際に椅子に適用できる。従って、産業上利用できる。
【符号の説明】
【００４０】
５  背もたれ
６  開口
７  背フレーム
８  サポート体
１２  小穴
１７  内壁
１８  外壁
１９  溝
２０  係合手段を構成する上係合部
２１  上規制部
２２，２４  係合手段を構成するサイド係合部
２３  サイド規制部
２５  係合手段を構成する下係合部
２６  ガイド片
２７係合手段を構成する上係合爪
２８，３０  第１サイド規制突起
２９，３１  係合手段を構成するサイド上係合爪
３２  下係合爪
３３  ガイド突起
【図１】
2014097194.tif 000003
【図２】
2014097194.tif 000004
【図３】
2014097194.tif 000005
【図４】
2014097194.tif 000006
【図５】
2014097194.tif 000007
【図６】
2014097194.tif 000008
【図７】
2014097194.tif 000009
【図８】
2014097194.tif 000010